(57)【要約】縦横比情報が記録された情報保存媒体、その装置及び方法を提供する。  本発明によって、ＡＶデータをマークアップ文書を使用してインタラクティブモードで再生する再生装置は、前記ＡＶデータをデコーディングしてＡＶ画面を出力するＡＶ再生エンジンと、前記マークアップ文書を解釈してマークアップソース画面を得て、得られたマークアップ画面と前記ＡＶ再生エンジンから出力されたＡＶ画面とを組み合わせて得られたインタラクティブ画面を出力するＥＮＡＶエンジンを含むことを特徴とする。これにより、インタラクティブ画面を構成するビデオ画面とマークアップ画面とをスクリーン縦横比に合うように再構成することによって、情報の位置やサイズなどの歪曲無しにディスプレイしうる。
2006512025.tif 000002
【特許請求の範囲】
【請求項１】
情報保存媒体において、
オーディオ及び／またはビデオデータと、
前記オーディオ及び／またはビデオデータをインタラクティブモードで再生するためのマークアップ文書を含み、
前記マークアップ文書には、前記マークアップ文書をディスプレイするために参照される縦横比情報が記録されていることを特徴とする情報保存媒体。
【請求項２】
前記縦横比情報は、インタラクティブモードで前記マークアップ文書がディスプレイされるターゲットディスプレイ装置の縦横比を示すことを特徴とする請求項１に記載の情報保存媒体。
【請求項３】
前記縦横比情報は、前記マークアップ文書の製作者の意図によって、インタラクティブモードで前記マークアップ文書がディスプレイされるターゲットディスプレイ装置の縦横比を示すことを特徴とする請求項１に記載の情報保存媒体。
【請求項４】
前記縦横比情報は、前記マークアップ文書にタグの属性を用いて記録されることを特徴とする請求項１に記載の情報保存媒体。
【請求項５】
前記マークアップ文書は、前記マークアップ文書の解像度情報をさらに含むことを特徴とする請求項１に記載の情報保存媒体。
【請求項６】
前記縦横比情報及び前記解像度情報は、タグの属性を用いて前記マークアップ文書に記録されることを特徴とする請求項５に記載の情報保存媒体。
【請求項７】
前記縦横比情報は、前記マークアップ文書から得られたマークアップソース画面を、所定の縦横比を有するように変換することを指示する情報であることを特徴とする請求項１に記載の情報保存媒体。
【請求項８】
前記縦横比情報は、前記マークアップ文書から得られたマークアップソース画面を４：３または１６：９の縦横比を有するように変換することを指示する情報であることを特徴とする請求項１に記載の情報保存媒体。
【請求項９】
前記マークアップ文書はエンベッディング情報をさらに含み、
前記エンベッディング情報は、前記インタラクティブモードで前記マークアップ文書について前記ビデオデータをエンベッドするために参照されることを特徴とする請求項１に記載の情報保存媒体。
【請求項１０】
マークアップ文書及びオーディオ及び／またはビデオ（ＡＶ）データを用いてインタラクティブ画面をディスプレイする方法において、
マークアップ文書に対応する縦横比情報を得る段階と、
前記縦横比情報によって前記マークアップ文書からマークアップ画面を得る段階と、
前記ＡＶデータからＡＶ画面を得る段階と、
前記ＡＶ画面と前記マークアップ画面とを組み合わせて前記インタラクティブ画面をディスプレイする段階とを含むことを特徴とする方法。
【請求項１１】
前記縦横比情報を得る段階は、
インタラクティブモードで前記マークアップ文書がディスプレイされるターゲットディスプレイ装置の縦横比を示す縦横比情報を読込む段階を含むことを特徴とする請求項１０に記載の方法。
【請求項１２】
前記縦横比情報を得る段階は、
インタラクティブモードで、前記マークアップ文書の製作者の意図によって、前記マークアップ文書がディスプレイされるターゲットディスプレイ装置の縦横比を示す縦横比情報を読込む段階を含むことを特徴とする請求項１０に記載の方法。
【請求項１３】
前記縦横比情報を得る段階は、
前記マークアップ文書にタグの属性を用いて記録された縦横比情報をパージングする段階を含むことを特徴とする請求項１０に記載の方法。
【請求項１４】
前記マークアップ画面を得る段階は、
前記縦横比情報によって、前記マークアップ文書から得られたマークアップソース画面を所定の縦横比を有するように変換して前記マークアップ画面を得る段階を含むことを特徴とする請求項１０に記載の方法。
【請求項１５】
前記マークアップ画面を得る段階は、
前記縦横比情報によって、前記マークアップ文書から得られたマークアップソース画面を４：３または１６：９の縦横比を有するように変換して前記マークアップ画面を得る段階を含むことを特徴とする請求項１０に記載の方法。
【請求項１６】
前記マークアップ画面を得る段階は、
前記マークアップ文書が実際にディスプレイされる目的地装置の縦横比が前記マークアップ文書に記録された縦横比情報と異なる場合、前記マークアップソース画面をスケーリングして前記マークアップ文書に記録された縦横比に合致する前記マークアップ画面を出力する段階を含むことを特徴とする請求項１０に記載の方法。
【請求項１７】
前記目的地装置は、テレビモニタであることを特徴とする請求項１６に記載の方法。
【請求項１８】
前記縦横比情報は、前記マークアップ文書に含まれることを特徴とする請求項１０に記載の方法。
【請求項１９】
前記インタラクティブ画面のディスプレイ段階は、
前記マークアップ画面について前記ＡＶ画面を結合するために前記マークアップ文書に含まれたエンベッディング情報を得る段階を含むことを特徴とする請求項１０に記載の方法。
【請求項２０】
前記縦横比情報を得る段階は、
前記マークアップ文書をディスプレイするために意図されたターゲットディスプレイ装置の縦横比に関する情報及び前記マークアップ文書の解像度に関する情報を読込む段階を含み、前記縦横比に関する情報及び前記解像度に関する情報は、タグの属性を用いて、前記マークアップ文書に記録されることを特徴とする請求項１０に記載の方法。
【請求項２１】
インタラクティブモードでマークアップ文書を処理する方法において、
前記インタラクティブモードで、前記マークアップ文書をディスプレイするために意図されるターゲットディスプレイ装置の装置縦横比に関する情報が、前記マークアップ文書に含まれているか否かを決定する段階と、
前記マークアップ文書に含まれた前記装置の縦横比情報によって、前記マークアップ文書を処理する段階とを含むことを特徴とする方法。
【請求項２２】
前記マークアップ文書処理段階は、
前記装置の縦横比情報と異なる、前記マークアップ文書をディスプレイする目的地装置の縦横比情報に応答して、前記装置の縦横比情報によって前記マークアップ文書から得られたソースマークアップ画面を変換する段階と、
前記装置の縦横比情報に対応する前記目的地装置の縦横比に関する情報について前記ソースマークアップ画面をそのまま出力する段階とを含むことを特徴とする請求項２１に記載の方法。
【請求項２３】
インタラクティブモードでＡＶデータのソースオーディオビデオ（ＡＶ）画面及びマークアップ文書のソースマークアップ画面を処理する方法において、
ＡＶ画面タイプ選択情報を得る段階と、
前記マークアップ文書に縦横比情報が含まれているか否かを決定する段階と、
前記ＡＶ画面タイプ選択情報によって前記ソースＡＶ画面を変換し、前記マークアップ文書に含まれていない前記縦横比情報については前記ソースマークアップ画面をそのまま出力する段階と、
前記マークアップ文書に含まれた前記縦横比情報について前記ソースＡＶ画面と前記ソースマークアップ画面とを前記ＡＶ画面タイプ選択情報及び前記縦横比情報によって各々変換する段階とを含むことを特徴とする方法。
【請求項２４】
オーディオ及び／またはビデオ（ＡＶ）データをマークアップ文書を使用してインタラクティブモードで処理する装置において、
前記ＡＶデータをデコーディングしてＡＶ画面を出力するＡＶ再生エンジンと、
前記マークアップ文書を解釈してソースマークアップ画面を得て、得られたソースマークアップ画面をマークアップ画面に変換し、前記マークアップ画面と前記ＡＶ画面とを組み合わせ、前記マークアップ画面と前記ＡＶ画面とを含むインタラクティブ画面を出力する改善されたオーディオ及び／またはビデオ（ＥＮＡＶ）エンジンを含むことを特徴とする装置。
【請求項２５】
前記ＥＮＡＶエンジンは前記マークアップ文書に記録された縦横比情報を読込み、読込まれた縦横比情報によって前記マークアップ画面を得ることを特徴とする請求項２４に記載の装置。
【請求項２６】
前記ＥＮＡＶエンジンは、
インタラクティブモードで前記マークアップ文書がディスプレイされるターゲットディスプレイ装置のスクリーンの縦横比を示す縦横比情報を得ることを特徴とする請求項２４に記載の装置。
【請求項２７】
前記ＥＮＡＶエンジンは、
インタラクティブモードで前記マークアップ文書の製作者の意図によって、前記マークアップ文書がディスプレイされるターゲットディスプレイ装置のスクリーンの縦横比を示す縦横比情報を得ることを特徴とする請求項２４に記載の装置。
【請求項２８】
前記ＥＮＡＶエンジンは、前記マークアップ文書にタグの属性を用いて記録された縦横比情報をパージングすることを特徴とする請求項２４に記載の装置。
【請求項２９】
前記ＥＮＡＶエンジンは、前記縦横比情報によって、前記マークアップ文書から得られたマークアップソース画面を所定の縦横比を有するように変換して前記マークアップ画面を得ることを特徴とする請求項２４に記載の装置。
【請求項３０】
前記ＥＮＡＶエンジンは、前記縦横比情報によって、前記マークアップ文書から得られたマークアップソース画面を４：３または１６：９の縦横比を有するように変換して前記マークアップ画面を得ることを特徴とする請求項２４に記載の装置。
【請求項３１】
前記ＥＮＡＶエンジンは、前記マークアップ文書が実際にディスプレイされる目的地装置の縦横比が前記マークアップ文書に記録された縦横比情報と異なる場合、前記マークアップソース画面をスケーリングして前記マークアップ文書に記録された縦横比に合致する前記マークアップ画面を出力することを特徴とする請求項２４に記載の装置。
【請求項３２】
インタラクティブモードでマークアップ文書を処理する装置において、
前記インタラクティブモードでオーディオ及び／またはビデオデータのビデオ画面とマークアップ文書のマークアップ画面とを出力する制御器と、
前記マークアップ文書に対応して前記マークアップ文書をディスプレイするターゲットディスプレイ装置の縦横比に関する情報である装置の縦横比情報によって前記マークアップ画面を変換するマークアップ変換器とを含むことを特徴とする装置。
【請求項３３】
前記制御器は、前記マークアップ文書のエンベッディング情報によって前記マークアップ画面に前記ビデオ画面をエンベッドすることを特徴とする請求項３２に記載の装置。
【請求項３４】
前記装置の縦横比情報は、前記マークアップ文書に含まれることを特徴とする請求項３２に記載の装置。
【請求項３５】
前記マークアップ変換器は、前記装置の縦横比情報とは異なる前記マークアップ文書をディスプレイする目的地装置の縦横比に関する情報について前記装置の縦横比情報によって前記マークアップ画面をスケールし、前記装置の縦横比情報に対応する前記目的地装置の縦横比に関する情報について前記マークアップ画面をそのまま出力することを特徴とする請求項３２に記載の装置。
【請求項３６】
マークアップ文書及びオーディオ及び／またはビデオ（ＡＶ）データを用いてインタラクティブ画面をディスプレイする方法を具現し、コンピュータにより行われる命令語でエンコーディングされたコンピュータ可読記録媒体において、
前記方法は、
マークアップ文書に対応する縦横比情報を得る段階と、
前記縦横比情報によって前記マークアップ文書からマークアップ画面を得る段階と、
前記ＡＶデータからＡＶ画面を得る段階と、
前記ＡＶ画面と前記マークアップ画面とを組み合わせて前記インタラクティブ画面をディスプレイする段階とを含むことを特徴とする記録媒体。
【請求項３７】
インタラクティブモードでマークアップ文書を処理する方法を具現し、コンピュータにより行われる命令語でエンコーディングされたコンピュータ可読記録媒体において、
前記方法は、
前記インタラクティブモードで前記マークアップ文書をディスプレイするために意図されるターゲットディスプレイ装置の装置縦横比に関する情報が前記マークアップ文書に含まれているか否かを決定する段階と、
前記マークアップ文書に含まれた前記装置の縦横比情報によって前記マークアップ文書を処理する段階とを含むことを特徴とする記録媒体。
【請求項３８】
前記マークアップ文書の処理段階は、
前記装置の縦横比情報と異なる、前記マークアップ文書をディスプレイする目的地装置の縦横比情報に応答して、前記装置の縦横比情報によって前記マークアップ文書から得られたソースマークアップ画面を変換する段階と、
前記装置の縦横比情報に対応する前記目的地装置の縦横比に関する情報について前記ソースマークアップ画面をそのまま出力する段階とを含むことを特徴とする請求項３７に記載の記録媒体。
【請求項３９】
オーディオ及び／またはビデオ（ＡＶ）データをマークアップ文書を使用してインタラクティブモードで処理するコンピュータシステムでの方法において、
ＡＶ再生エンジンが前記ＡＶデータのＡＶ画面を得るように制御する段階と、
前記改善されたオーディオ及びビデオ（ＥＮＡＶ）エンジンが前記マークアップ文書に対応してインタラクティブモードで前記マークアップ文書をディスプレイするターゲットディスプレイ装置の縦横比に関する情報である装置の縦横比情報によって前記マークアップ画面を変換するように制御する段階とを含むことを特徴とする方法。
【発明の詳細な説明】
【技術分野】
【０００１】
本発明はＡＶデータをマークアップ文書を使用してインタラクティブモードで再生するに当って、そのマークアップ文書の縦横比情報が記録された情報保存媒体、その再生装置及び再生方法に関する。
【背景技術】
【０００２】
ＨＴＭＬ等マークアップ言語で作成されたマークアップ文書が記録されてＰＣで再生可能なＤＶＤが販売されている。マークアップ文書基盤のＡＶコンテンツを示すインタラクティブモードを支援するＤＶＤをインタラクティブＤＶＤと称する。インタラクティブＤＶＤに記録されたコンテンツは、２種の方法で再生されうる。１つは、一般のＤＶＤと同一にディスプレイされるビデオモードであり、他の１つは、マークアップ文書により定義される表示窓を通じてディスプレイされるインタラクティブモードである。ユーザによりインタラクティブモードが選択されれば、ＰＣに搭載されたウェブブラウザはインタラクティブＤＶＤに記録されているマークアップ文書をディスプレイする。マークアップ文書により定義される表示窓にはユーザが選択したコンテンツが表示される。すなわち、ＡＶデータから得られるＡＶ画面がマークアップ文書から得られるマークアップ画面に埋め込まれたインタラクティブ画面が表示される。
【０００３】
例えば、コンテンツがＡＶデータの映画である場合、ＡＶ画面には映画が上映され、マークアップ画面には台本、あらすじ、出演俳優の写真など多様な付加情報が表示されうる。付加情報は、イメージファイル、テキストファイル、アニメーションファイルなど多様なリソースファイルを使用して表示される。
【０００４】
図１Ａないし図１Ｄは、従来のインタラクティブＤＶＤの再生時にディスプレイ装置に表示される画面の種類を示す。
【０００５】
図１Ａは、縦横比が４：３である画面である。
【０００６】
図１Ｂは、１６：９のソース画面をディスプレイ装置の４：３スクリーンに適用することによって、各々画面の上下に斜線を引いたブランク部分が生じる４：３レターボックス画面である。
【０００７】
図１Ｃは、図１Ｂのようなレターボックス画面において、実際にコンテンツが見られる画面サイズが過度に小さくなる短所を克服するために生じた４：３パンスキャン（ｐａｎ−ｓｃａｎ）画面である。１６：９ソース画面のうち、比較的に重要でないと判断される両側画面を切り取って４：３画面で表示するのである。レターボックス画面は、ブランク部分がユーザに見られるが、パンスキャン画面は、切り取られた部分がユーザに見られなくなる。パンスキャン方式の場合、切り取る部分をどのように決定するかによって、すなわち、編集者の熟練度によって映像美の差が大きくなる。
【０００８】
図１Ｄは、１６：９の画面である。
【０００９】
従来のインタラクティブ画面は、図１Ａないし図１Ｄのうち、何れか１つの画面に固定されてディスプレイされる。この場合、インタラクティブＤＶＤに記録されたマークアップ文書が合致されていない縦横比のスクリーンを有するディスプレイ装置にディスプレイされる時、マークアップ画面のテキストやグラフィックなどのデータが部分的に誤って表示されるなど画面歪曲現象が発生する。
【００１０】
図２Ａ及び図２Ｂは、１６：９のソース画面で製作されたマークアップ文書が４：３のレターボックス画面で表示される時の歪曲現状の一例を示す。
【００１１】
図２Ａは、１６：９のソース画面が１６：９のスクリーンにディスプレイされた例であり、図２Ｂは、図２Ａの情報が４：３のレターボックス画面でディスプレイされた例である。図２Ｂから、ＡＶ画面はその大きさが縮まったが、ＨＴＭＬなどにより作られたテキストやグラフィックなどを含むマークアップ画面はそのまま表示されることによって、テキストやグラフィックの一部がブランク領域とオーバーラップされてユーザに見られなくなる場合も発生する。
【発明の開示】
【発明が解決しようとする課題】
【００１２】
したがって、本発明の目的は、インタラクティブ画面が歪曲されず、正しくディスプレイされるようにインタラクティブ画面をディスプレイする方法、その装置及びその情報保存媒体を提供することである。
【課題を解決するための手段】
【００１３】
前記目的を達成するための本発明に係る情報保存媒体は、オーディオ及び／またはビデオデータと、前記オーディオ及び／またはビデオデータをインタラクティブモードで再生するためのマークアップ文書を含み、前記マークアップ文書には、前記マークアップ文書をディスプレイするために参照される縦横比情報が記録されていることを特徴とする。
【００１４】
前記縦横比情報は、インタラクティブモードで前記マークアップ文書がディスプレイされるターゲットディスプレイ装置の縦横比を示す。
【００１５】
前記縦横比情報は、前記マークアップ文書の製作者の意図によって、インタラクティブモードで、前記マークアップ文書がディスプレイされるターゲットディスプレイ装置の縦横比を示す。
【００１６】
また、前記目的を達成するための本発明に係るマークアップ文書及びオーディオ及び／またはビデオ（ＡＶ）データを用いてインタラクティブ画面をディスプレイする方法は、マークアップ文書に対応する縦横比情報を得る段階と、前記縦横比情報によって前記マークアップ文書からマークアップ画面を得る段階と、前記ＡＶデータからＡＶ画面を得る段階と、前記ＡＶ画面と前記マークアップ画面とを組み合わせて前記インタラクティブ画面をディスプレイする段階とを含む。
【００１７】
前記縦横比情報は、前記マークアップ文書に含まれる。前記縦横比情報を得る段階は、インタラクティブモードで前記マークアップ文書の製作者の意図によって、前記マークアップ文書がディスプレイされるターゲットディスプレイ装置の縦横比を示す縦横比情報を読込む段階を含む。
【００１８】
前記縦横比情報を得る段階は、前記マークアップ文書にタグの属性を用いて記録された縦横比情報をパージングする段階を含む。
【００１９】
前記マークアップ画面を得る段階は、前記縦横比情報によって、前記マークアップ文書から得られたマークアップソース画面を所定の縦横比を有するように変換して前記マークアップ画面を得る段階を含む。
【００２０】
前記マークアップ画面を得る段階は、前記マークアップ文書が実際にディスプレイされる目的地装置の縦横比が前記マークアップ文書に記録された縦横比情報と異なる場合、前記マークアップソース画面をスケーリングして前記マークアップ文書に記録された縦横比に合致する前記マークアップ画面を出力する段階を含む。
【００２１】
また、前記目的を達成するための本発明に係るインタラクティブモードでマークアップ文書を処理する方法は、前記インタラクティブモードで前記マークアップ文書をディスプレイするために意図されるターゲットディスプレイ装置の装置縦横比に関する情報が前記マークアップ文書に含まれているか否かを決定する段階と、前記マークアップ文書に含まれた前記装置の縦横比情報によって前記マークアップ文書を処理する段階とを含む。
【００２２】
前記マークアップ文書処理段階は、前記装置の縦横比情報と異なる、前記マークアップ文書をディスプレイする目的地装置の縦横比情報に応答して、前記装置の縦横比情報によって前記マークアップ文書から得られたソースマークアップ画面を変換する段階と、前記装置の縦横比情報に対応する前記目的地装置の縦横比に関する情報について前記ソースマークアップ画面をそのまま出力する段階とを含む。
【００２３】
また、前記目的を達成するための本発明に係るインタラクティブモードでＡＶデータのソースオーディオビデオ（ＡＶ）画面及びマークアップ文書のソースマークアップ画面を処理する方法は、ＡＶ画面タイプ選択情報を得る段階と、前記マークアップ文書に縦横比情報が含まれているか否かを決定する段階と、前記ＡＶ画面タイプ選択情報によって前記ソースＡＶ画面を変換し、前記マークアップ文書に含まれていない前記縦横比情報については前記ソースマークアップ画面をそのまま出力する段階と、前記マークアップ文書に含まれた前記縦横比情報について前記ソースＡＶ画面と前記ソースマークアップ画面と」を前記ＡＶ画面タイプ選択情報及び前記縦横比情報によって各々変換する段階とを含む。
【００２４】
また、前記目的を達成するための本発明に係るオーディオ及び／またはビデオ（ＡＶ）データをマークアップ文書を使用してインタラクティブモードで処理する装置は、前記ＡＶデータをデコーディングしてＡＶ画面を出力するＡＶ再生エンジンと、前記マークアップ文書を解釈してソースマークアップ画面を得て、得られたソースマークアップ画面をマークアップ画面に変換し、前記マークアップ画面と前記ＡＶ画面とを組み合わせ、前記マークアップ画面と前記ＡＶ画面とを含むインタラクティブ画面を出力する改善されたオーディオ及び／またはビデオ（ＥＮＡＶ）エンジンを含む。
【００２５】
前記ＥＮＡＶエンジンは、前記マークアップ文書に記録された縦横比情報を読込み、読込まれた縦横比情報によって前記マークアップ画面を得る。前記ＥＮＡＶエンジンは、インタラクティブモードで前記マークアップ文書がディスプレイされるターゲットディスプレイ装置のスクリーンの縦横比を示す縦横比情報を得る。
【００２６】
前記ＥＮＡＶエンジンは、前記マークアップ文書にタグの属性を用いて記録された縦横比情報をパージングする。前記ＥＮＡＶエンジンは、前記縦横比情報によって、前記マークアップ文書から得られたマークアップソース画面を所定の縦横比を有するように変換して前記マークアップ画面を得る。
【００２７】
また、前記目的を達成するための本発明に係るインタラクティブモードでマークアップ文書を処理する装置は、前記インタラクティブモードでオーディオ及び／またはビデオデータのビデオ画面とマークアップ文書のマークアップ画面とを出力する制御器と、前記マークアップ文書に対応して前記マークアップ文書をディスプレイするターゲットディスプレイ装置の縦横比に関する情報である装置の縦横比情報によって前記マークアップ画面を変換するマークアップ変換器とを含む。
【００２８】
前記マークアップ変換器は、前記装置の縦横比情報とは異なる前記マークアップ文書をディスプレイする目的地装置の縦横比に関する情報について前記装置の縦横比情報によって前記マークアップ画面をスケールし、前記装置の縦横比情報に対応する前記目的地装置の縦横比に関する情報について前記マークアップ画面をそのまま出力する。
【００２９】
また、前記目的を達成するための本発明に係るマークアップ文書及びオーディオ及び／またはビデオ（ＡＶ）データを用いてインタラクティブ画面をディスプレイする方法を具現し、コンピュータにより行われる命令語でエンコーディングされたコンピュータ可読記録媒体は、前記方法は、マークアップ文書に対応する縦横比情報を得る段階と、前記縦横比情報によって前記マークアップ文書からマークアップ画面を得る段階と、前記ＡＶデータからＡＶ画面を得る段階と、前記ＡＶ画面と前記マークアップ画面とを組み合わせて前記インタラクティブ画面をディスプレイする段階とを含む。
【００３０】
また、前記目的を達成するための本発明に係るインタラクティブモードでマークアップ文書を処理する方法を具現し、コンピュータにより行われる命令語でエンコーディングされたコンピュータ可読記録媒体は、前記方法は、前記インタラクティブモードで前記マークアップ文書をディスプレイするために意図されるターゲットディスプレイ装置の装置縦横比に関する情報が前記マークアップ文書に含まれているか否かを決定する段階と、前記マークアップ文書に含まれた前記装置の縦横比情報によって前記マークアップ文書を処理する段階とを含む。
【００３１】
また、前記目的を達成するための本発明に係るオーディオ及び／またはビデオ（ＡＶ）データをマークアップ文書を使用してインタラクティブモードで処理するコンピュータシステムでの方法は、ＡＶ再生エンジンが前記ＡＶデータのＡＶ画面を得るように制御する段階と、前記改善されたオーディオ及びビデオ（ＥＮＡＶ）エンジンが前記マークアップ文書に対応してインタラクティブモードで前記マークアップ文書をディスプレイするターゲットディスプレイ装置の縦横比に関する情報である装置の縦横比情報によって前記マークアップ画面を変換するように制御する段階とを含む。
【発明を実施するための最良の形態】
【００３２】
以下、添付した図面を参照して本発明の望ましい実施例を詳細に説明する。
【００３３】
「マークアップ文書」はインタラクティブモードを支援するために記録されたデータであって、マークアップ言語及び／またはスクリプトコードで記録されたマークアップ文書、マークアップ文書にリンクされるか、別途に備えられるスクリプトコードファイル、プログラムファイル、マークアップ文書にリンクされて共にディスプレイされるためのリソースファイルとしてオーディオファイル、アニメーションファイル、イメージファイルなどリソースファイルを網羅する意味として使われる。すなわち、マークアップ文書は、ＡＶデータをインタラクティブモードで再生するために必要なアプリケーションプログラムの役割をすると同時に、ＡＶデータと共に提供される付加コンテンツの役割を行う。
【００３４】
図３は、本発明の望ましい実施例による再生システムの概要図である。図３を参照するに、再生システムは、本実施例によってインタラクティブモードを支援する情報保存媒体のディスク１００、再生装置２００、本実施例に係るディスプレイ装置としてＴＶモニタ３００、ユーザ入力装置としてリモコン４００を含む。リモコン４００は、ユーザの制御命令を入力されて再生装置２００に伝達する。再生装置２００は、ディスク１００に記録されたＡＶデータをインタラクティブモードで再生する。再生装置２００に備えられたＤＶＤドライブにディスク１００がロードされてユーザがインタラクティブモードを選択すれば、再生装置２００はディスク１００をインタラクティブモードで再生してＴＶモニタ３００に伝達する。ＴＶモニタ３００には再生されたＡＶデータに係るＡＶ画面がマークアップ文書から得られたマークアップ画面と共に表示される。ＡＶ画面とマークアップ画面とが組合わせられた画面はインタラクティブ画面と称する。
【００３５】
「インタラクティブモード」は、ＡＶ画面をマークアップ文書に定義された表示窓にディスプレイする方式、すなわち、マークアップ画面にＡＶ画面を埋め込んでディスプレイする方式をいう。ここで、ＡＶ画面は、ディスク１００に記録されたＤＶＤ−Ｖｉｄｅｏデータが再生装置２００により再生されてＴＶモニタ３００に表示される画面を示し、マークアップ画面は、ＥＮＡＶディスク１００に記録されたマークアップ文書が再生装置２００により解釈され実行されて、ＴＶモニタ３００に表示される画面を示す。一方、「ビデオモード」は、ＡＶデータを従来のＤＶＤ−Ｖｉｄｅｏに定義されたところによって再生する方式、すなわち該当ＡＶデータを再生して得られたＡＶ画面だけをディスプレイする方式をいう。本実施例で再生装置２００は、インタラクティブモードとビデオモードとを何れも支援する。また、本実施例において再生装置２００は、ネットワークからＡＶデータ及び／またはインタラクティブデータを入力されうる。
【００３６】
特に、本発明に係る再生装置２００は、マークアップ文書に記録された縦横比情報（ｄｅｖｉｃｅ−ａｓｐｅｃｔ−ｒａｔｉｏ）に合致するようにマークアップ画面をそのまま、または変換して出力する。変換される前の画面はマークアップソース画面及び／またはＡＶソース画面と称する。変換されるか、あるいは変換されずに最終的にユーザに見られる画面はマークアップ画面及び／またはＡＶ画面と称する。また、再生装置２００はＴＶモニタ３００の縦横比、すなわち、目的地の縦横比情報を確認し、マークアップ文書に記録された縦横比情報と異なっても、マークアップ文書に記録された縦横比情報に合わせてマークアップ画面をスケーリングして出力する。
【００３７】
本発明の一実施例によって、ソースマークアップ画面が、例えば、マークアップ文書コンテンツ製作者の意図によって１６：９の縦横比を有するディスプレイ装置にディスプレイされるならば、マークアップ文書は１６：９に対応する縦横比情報を含む。この場合に、実際にディスプレイ装置が１６：９の実際縦横比を有するならば、マークアップ文書はそのまま出力される。実際ディスプレイ装置が、例えば４：３の縦横比を有するならば、ソースマークアップ画面は４：３の実際ディスプレイに適するように１６：９に対応する縦横比情報によって変換される。
【００３８】
一方、ユーザは、リモコン４００またはＯＳＤ（オンスクリーンディスプレイ）メニューを使用して再生装置２００にディスプレイ情報を設定しうる。ディスプレイ情報は、ビデオモードまたはインタラクティブモードでユーザに見られるＡＶ画面の種類を選択したＡＶ画面選択情報を有する。本実施例において画面の種類は従来と同様に、４：３画面、１６：９画面、レターボックス画面、パンスキャン画面を含む。
【００３９】
図４は、図３のディスク１００のボリュームスペースを示す。図４を参照するに、ディスク１００のＶｏｌｕｍｅ  Ｓｐａｃｅには、Ｖｏｌｕｍｅとファイルに関する情報が記録されたＶｏｌｕｍｅ  ａｎｄ  Ｆｉｌｅ  ｓｔｒｕｃｔｕｒｅ領域、ＡＶデータがＤＶＤ−Ｖｉｄｅｏフォーマットで記録された、すなわち、ビデオタイトルがＤＶＤ−Ｖｉｄｅｏ  Ｄａｔａ領域、インタラクティブモードを支援するためのマークアップ文書ファイルが記録されたインタラクティブデータ領域が存在する。
【００４０】
ＤＶＤ−Ｖｉｄｅｏデータ領域には、ディスク１００に記録されたビデオタイトル全体に関する再生制御情報が含まれたＶＩＤＥＯ＿ＴＳ．ＩＦＯ及び最初のビデオタイトルに関する再生制御情報が含まれたＶＴＳ＿０１＿０．ＩＦＯが記録されており、次いでビデオタイトルを構成するＡＶデータであるＶＴＳ＿０１＿０．ＶＯＢ、ＶＴＳ＿０１＿１．ＶＯＢ、‥が記録されている。ＶＴＳ＿０１＿０．ＶＯＢ、ＶＴＳ＿０１＿１．ＶＯＢ、‥は、ビデオタイトル、すなわち、ビデオオブジェクト（Ｖｉｄｅｏ  ＯＢｊｅｃｔ）である。各ＶＯＢには、ナビゲーションパック、ビデオパック、及びオーディオパックがパッキングされたＶＯＢＵが含まれている。さらに詳細な構成は、ＤＶＤ−Ｖｉｄｅｏ標準案「ＤＶＤ−Ｖｉｄｅｏ  ｆｏｒ  Ｒｅａｄ  Ｏｎｌｙ  Ｍｅｍｏｒｙ  Ｄｉｓｃ１．０」に開示されている。
【００４１】
インタラクティブデータ領域には、複数のマークアップ文書ファイルが保存されている。インタラクティブモードが選択された時、最初に読み込まれるスタートアップファイル、選択されたビデオタイトルに対応するマークアップ文書などが記録されている。
【００４２】
このように、本実施例でインタラクティブデータは、複数のマークアップ文書ファイルとして記録されている。マークアップ文書ファイルは、前述したように、マークアップ文書、スクリプトコードファイル、プログラムファイル、マークアップ文書のスタイルを指定するためのスタイルシート、マークアップ文書にリンクされて共にディスプレイされるためのリソースファイルであって、オーディオファイル、アニメーションファイル、イメージファイルなどを意味する。
【００４３】
図５は、本発明の一実施例に係るディスク１００のディレクトリ構造図である。図５を参照するに、ルートディレクトリにはＤＶＤビデオディレクトリＶＩＤＥＯ＿ＴＳが存在し、インタラクティブモードを支援するためのインタラクティブデータが記録されたＥＮＡＶディレクトリＤＶＤ＿ＥＮＡＶが備えられている。
【００４４】
ＶＩＤＥＯ＿ＴＳには、図４を参照して説明したデータ、すなわち、ＶＩＤＥＯ＿ＴＳ．ＩＦＯ、ＶＴＳ＿０１＿０．ＩＦＯ、ＶＴＳ＿０１＿０．ＶＯＢ、ＶＴＳ＿０１＿１．ＶＯＢ、‥などが保存されている。ＤＶＤ＿ＥＮＡＶには、図４を参照して説明したデータ、すなわち、スタートアップファイルＳＴＡＲＴＵＰ．ＭＬＳ、その他にＥＮＡＶファイルが保存されている。
【００４５】
図６は、本発明の一実施例に係る再生装置２００のブロック図である。図６を参照するに、本実施例に係る再生装置２００は、リーダ１、ＡＶ再生エンジン２及びＥＮＡＶエンジン３を含む。
【００４６】
リーダ１は、ＥＮＡＶエンジン３からの制御信号によってディスク１００からＡＶデータ、すなわち、本実施例でのＤＶＤ−Ｖｉｄｅｏデータ及びマークアップ文書を読込む。
【００４７】
ＡＶ再生エンジン２は、リーダ２が読込まれたＡＶデータを再生する。本実施例において、ＡＶデータは、ＤＶＤ−Ｖｉｄｅｏデータで記録されているので、本実施例においてＡＶ再生エンジン４は、ＤＶＤ−Ｖｉｄｅｏデータを再生するＤＶＤ−Ｖｉｄｅｏ再生エンジンとして具現される。特に、ＡＶ再生エンジン２００は、ユーザにより再生装置２００内に設定されたＡＶ画面選択情報を参照してＡＶ画面を変換する。
【００４８】
ＥＮＡＶエンジン３は、ディスク１００に記録されたＤＶＤ−Ｖｉｄｅｏデータをインタラクティブモードで再生するために、マークアップ文書を解釈して実行する。また、ＥＮＡＶエンジン３は、再生されたＤＶＤ−Ｖｉｄｅｏストリームと解釈されたマークアップ文書とをブレンドして出力する。これにより、ＴＶ３００にはＡＶ画面が埋め込まれたマークアップ画面が表示される。一方、ＥＮＡＶエンジン３は、多様なプラグインを含みうる。プラグインは、マークアップ文書に含まれるか、マークアップ文書にリンクされた多様なフォーマットのファイルを開けるようにする。例えば、ウィンドウメディアプレーヤー用のＡＶデータを再生するためにＥＮＡＶエンジン３は、ウィンドウメディアプレーヤーを呼び出せる。また、ＥＮＡＶエンジン３は、ネットワークに接続してＥＮＡＶファイルなど必要な情報を入力されうる。
【００４９】
特に、ＥＮＡＶエンジン３は、本実施例によって、マークアップ文書に記録されている縦横比情報を読込み、読込まれた縦横比情報を参照してマークアップソース画面を変換するか、そのまま出力する。ＥＮＡＶエンジン３は、ＴＶモニタ３００の縦横比情報、すなわち、目的地の縦横比情報を把握し、マークアップ文書に記録された縦横比情報が把握された目的地の縦横比情報と異なっても、マークアップ文書に記録された縦横比情報に合わせてマークアップ画面をスケーリングして出力する。
【００５０】
ＡＶ再生エンジン２とＥＮＡＶエンジン３は、ＡＰＩ（アプリケーションプログラムインターフェース）を通じて互いにコミュニケーションを行う。たとえば、ＡＶ再生エンジン２は、ＥＮＡＶエンジン３からの要求に応答しＡＶ再生エンジン２の動作状態を知らせる属性をＥＮＡＶエンジン３に知らせ、トリガーをＥＮＡＶエンジン３に送る。トリガーとは、例えば、インタラクティブモードで“スターウォーズ”が上映される時、ＡＶ画面に戦闘場面が表示されれば、対応するクイズをインタラクティブ画面に表示させる場合、戦闘場面が表示される時点を前後にしてＥＮＡＶエンジン３にこれを知らせることを示す。
【００５１】
図７は、図３のＡＶ再生エンジン２とＥＮＡＶエンジン３との詳細ブロック図である。図７を参照するに、ＡＶ再生エンジン２は、ビデオ変換器２１を備え、ＥＮＡＶエンジン３はマークアップ変換器３１及びビデオ位置及び画面サイズ制御器３２を備える。
【００５２】
ビデオソース画面は、オーディオを除いてユーザの視覚を通じて認知されるビデオだけを扱うという意味で付けられた名称であって、ユーザの立場では、ＡＶ画面と事実上同一である。サブピクチャーソース画面は、サブピクチャーデータから得られる。サブピクチャーデータは、ＤＶＤ−Ｖｉｄｅｏ規格により定義されている。マークアップソース画面は、マークアップ文書から得られた画面である。
【００５３】
ビデオ変換器２１は、ＡＶデータをデコーディングして得られたビデオソース画面をユーザが設定しておいたＡＶ画面選択情報によって変換するか、ユーザが設定しておいたＡＶ画面選択情報に合致する場合には、そのまま出力する。サブピクチャーソース画面はビデオ画面に付け加えられる。
【００５４】
マークアップ変換器３１は、マークアップ文書から得られるマークアップソース画面をマークアップ文書に記録された縦横比情報によって変換するか、マークアップ文書に記録された縦横比情報に合致されれば、そのまま出力する。マークアップ文書に記録された縦横比情報が目的地の縦横比情報と異なっても、マークアップ変換器３１はマークアップソース画面をスケーリングしてマークアップ文書に記録された縦横比情報に合致するマークアップ画面を出力する。
【００５５】
ビデオ位置及び画面サイズ制御器３２は、マークアップ画面とビデオ画面とを組み合わせてインタラクティブ画面を出力する。特に、マークアップ文書に記録された、ビデオ位置及び画面サイズに関する指示情報によってＡＶ画面の位置及び大きさを調節してマークアップ画面に組合わせる。
【００５６】
図８は、図７のマークアップ変換器３１の動作過程を示す。図８を参照するに、マークアップ変換器３１はマークアップソース画面が縦横比１：１を有する場合、マークアップ文書に記録された縦横比情報を参照して縦横比４：３または１６：９を有するマークアップ画面に変換する。マークアップソース画面が縦横比４：３または１６：９を有する場合、マークアップ変換器３１はマークアップ文書に記録された縦横比情報を参照して、縦横比１６：９または４：３を有するマークアップ画面に変換する。
【００５７】
一方、マークアップ文書に記録された縦横比が目的地の縦横比情報と異なる場合、マークアップ変換器３１はマークアップソース画面をスケーリングしてマークアップ文書に記録された縦横比情報に合致するマークアップ画面を出力する。
【００５８】
本発明の一実施例によって、マークアップ変換器３１は次の通り動作する。マークアップ文書が４：３の縦横比情報を含み、目的地ディスプレイ装置、例えば、ＴＶモニタ３００が４：３ＴＶモニタである場合にソースマークアップ画面はそのまま出力される。目的地ディスプレイ装置が４：３ＴＶモニタではなく、例えば、１６：９のＴＶモニタである場合、ソースマークアップ画面はスケールされ、その出力はＴＶモニタ上の４：３縦横比を有することができる。
【００５９】
本発明のさらに他の実施例により、マークアップ文書は１６：９の比率の縦横比情報を含んで目的地ディスプレイ装置、例えば、ＴＶモニタ３００が１６：９のＴＶモニタである場合、ソースマークアップ画面はそのまま出力される。目的地ディスプレイ装置が１６：９のＴＶモニタではなく、例えば、４：３のＴＶモニタである場合、ソースマークアップ画面はスケールされ、その出力は、例えば、レターボックス出力セットアップでＴＶモニタ上の１６：９の縦横比を有することができる。
【００６０】
本実施例では、ディスプレイ装置であるＴＶモニタ３００が４：３または１６：９の縦横比を有すると限定し、マークアップ文書に記録された縦横比情報は４：３及び１６：９の縦横比を有するディスプレイ装置をターゲットと設定していることを知らせる情報と仮定したが、縦横比自体は必要によって多様に変更されうるということは言うまでもない。
【００６１】
図９は、本発明の一実施例によってマークアップ画面を変換する方法を示すフローチャートである。図９を参照するに、ＥＮＡＶエンジン３はマークアップ文書をパージングして縦横比情報を確認する（９０１段階）、縦横比情報が記録されていれば（９０１段階）、マークアップソース画面をそれによる縦横比を有するマークアップ画面に変換する（９０３段階）。
【００６２】
図１０は、本発明の一実施例によってマークアップソース画面とビデオソース画面とを変換する過程を示すフローチャートである。図１０を参照するに、再生装置２００は、ユーザにより設定されたディスプレイ情報のうち、特にＡＶ画面選択情報を読込む（１００１段階）。次いで、マークアップ文書に記録された縦横比情報を探す（１００２段階）。マークアップ文書に縦横比情報が記録されていれば（１００３段階）、ＡＶ画面選択情報とマークアップ文書に記録された縦横比情報とに基づいてＡＶソース画面を変換し、マークアップソース画面を変換する（１００４段階）。マークアップ文書に縦横比情報が記録されていなければ（１００３段階）、ＡＶ画面選択情報のみに基づいてＡＶソース画面を変換し、マークアップソース画面は変換せず、そのまま出力する（１００５段階）。
【００６３】
縦横比情報が挿入されたマークアップ文書の一例は次の通りである。
【００６４】
【表１】
2006512025.tif 000003
前記例において、マークアップ文書には＜ｍｅｔａｎａｍｅ＝“ｂｅｓｔｌｏｏｋ”ｃｏｎｔｅｎｔ＝“縦横比”＞タグを使用して縦横比情報が挿入されている。このように、マークアップ文書にターゲットとして設定しておいたディスプレイ装置のスクリーンの縦横比情報を記録して置くことによって、コンテンツ製作者の意図通りインタラクティブ画面が表示される。
【００６５】
縦横比情報が挿入されたマークアップ文書の他の例は次の通りである。
【００６６】
【表２】
2006512025.tif 000004
前記例では、＜ｍｅｔａｎａｍｅ＝“ｂｅｓｔｌｏｏｋ”ｃｏｎｔｅｎｔ＝“Ｒ解像度、Ａ縦横比”＞タグを使用して縦横比情報と共に解像度情報まで挿入されている。解像度情報を参照して、再生装置１００はコンテンツ製作者の意図に合う解像度を有するようにマークアップ文書をディスプレイしうる。
【００６７】
一方、前述したインタラクティブモードで縦横比に係る再生方法は、コンピュータプログラムで作成可能である。前記プログラムを構成するコード及びコードセグメントは当分野のコンピュータプログラマーによって容易に推論されうる。また、前記プログラムは、コンピュータ可読情報保存媒体に保存され、コンピュータによって読まれて実行されることによって、前記再生方法を具現する。前記情報保存媒体は、磁気記録媒体、光記録媒体、及びキャリアウェーブ媒体を含む。
【産業上の利用可能性】
【００６８】
本発明によれば、ターゲットディスプレイ装置のスクリーンの縦横比に関する情報がマークアップ文書に記録されうる。ソースマークアップ画面は、前記情報を参照してマークアップ画面に変化されうる。本発明の他の特徴によれば、マークアップ文書を含むインタラクティブ画面が位置やサイズ面で歪曲なしにコンテンツ製作者の意図によってインタラクティブモードでディスプレイされる。
【図面の簡単な説明】
【００６９】
【図１Ａ】従来のインタラクティブＤＶＤの再生時にディスプレイ装置に表示される画面の種類を示す図である。
【図１Ｂ】従来のインタラクティブＤＶＤの再生時にディスプレイ装置に表示される画面の種類を示す図である。
【図１Ｃ】従来のインタラクティブＤＶＤの再生時にディスプレイ装置に表示される画面の種類を示す図である。
【図１Ｄ】従来のインタラクティブＤＶＤの再生時にディスプレイ装置に表示される画面の種類を示す図である。
【図２Ａ】１６：９のソース画面で製作されたマークアップ文書が４：３レターボックス画面で表示される時の歪曲現状の一例を示す図である。
【図２Ｂ】１６：９のソース画面で製作されたマークアップ文書が４：３レターボックス画面で表示される時の歪曲現状の一例を示す図である。
【図３】本発明の望ましい実施例に係る再生システムの概要図である。
【図４】図３のディスク１００のボリュームスペースである。
【図５】本発明の一実施例に係るディスク１００のディレクトリ構造図である。
【図６】本発明の一実施例に係る再生装置２００のブロック図である。
【図７】図３のＡＶ再生エンジン２とＥＮＡＶエンジン３との詳細ブロック図である。
【図８】図７のマークアップ変換器３１の動作過程を示すブロック図である。
【図９】本発明において縦横比情報によってマークアップソース画面を変換する過程を示すフローチャートである。
【図１０】本発明の一実施例によってマークアップソース画面とビデオソース画面とを変換する過程を示すフローチャートである。
2006512025.tif 000005
【図２Ａ】
2006512025.tif 000006
【図２Ｂ】
2006512025.tif 000007
【図３】
2006512025.tif 000008
【図４】
2006512025.tif 000009
【図５】
2006512025.tif 000010
【図６】
2006512025.tif 000011
【図７】
2006512025.tif 000012
【図８】
2006512025.tif 000013
【図９】
2006512025.tif 000014
【図１０】
2006512025.tif 000015
【国際調査報告】
2006512025.tif 000016